(57)【要約】【課題】  高品位化及び小型化を実現すると共に、デザイン的な自由度に優れた撮像装置を提供する。【解決手段】  撮像光学系が形成する被写体像を光電変換する撮像素子を備える撮像装置であって、前記撮像光学系の光軸に直交する面に対して傾けて配置され、前記撮像素子からの信号を撮像画像として表示する表示手段と、前記表示手段が形成する空間に配置され、前記撮像装置を構成する構成部品とを有することを特徴とする撮像装置を提供する。【選択図】          図１
2006295352.tif 000002
【特許請求の範囲】
【請求項１】
撮像光学系が形成する被写体像を光電変換する撮像素子を備える撮像装置であって、
前記撮像光学系の光軸に直交する面に対して傾けて配置され、前記撮像素子からの信号を撮像画像として表示する表示手段と、
前記表示手段が形成する空間に配置され、前記撮像装置を構成する構成部品とを有することを特徴とする撮像装置。
【請求項２】
前記空間は、前記撮像素子と前記表示手段との間に形成されることを特徴とする請求項１記載の撮像装置。
【請求項３】
前記撮像素子と電気的に接続されるフレキシブル配線基板を更に有し、
前記構成部品は、前記フレキシブル配線基板に搭載された電気素子であることを特徴とする請求項１記載の撮像装置。
【請求項４】
前記撮像素子に電力を供給する電池を更に有し、
前記構成部品は、前記電池と電気的に接続する電池切片であることを特徴とする請求項１記載の撮像装置。
【請求項５】
前記撮像装置の骨格を形成する主枠体を更に有し、
前記構成部品は、前記撮像光学系及び前記撮像素子とを含む撮像ユニットと、前記主枠体とを締結するビスであることを特徴とする請求項１記載の撮像装置。
【請求項６】
前記ビスは、一部を前記空間に突出して配置されることを特徴とする請求項５記載の撮像装置。
【請求項７】
前記撮像装置を制御する中央処理装置を搭載するメイン基板と、
前記撮像光学系及び前記撮像素子とを含む撮像ユニットと、前記メイン基板とを電気的に接続する基板とを更に有し、
前記構成部品は、前記基板に搭載された電気素子であることを特徴とする請求項１記載の撮像装置。
【請求項８】
前記電子素子は、前記空間に突出して配置されることを特徴とする請求項７記載の撮像装置。
【請求項９】
前記撮像装置の骨格を形成する主枠体を更に有し、
前記空間において、前記撮像光学系及び前記撮像素子とを含む撮像ユニットと前記主枠体との相対位置関係を調整することを特徴とする請求項１記載の撮像装置。
【請求項１０】
前記撮像装置を制御する中央処理装置を搭載するメイン基板を更に有し、
前記構成部品は、前記撮像光学系及び前記撮像素子とを含む撮像ユニットと、前記メイン基板とを電気的に接続する基板であることを特徴とする請求項１記載の撮像装置。
【請求項１１】
前記表示手段の裏面に照射光を照射する照射手段と、
前記表示手段が形成する空間に配置され、前記照射光を前記表示手段の裏面に均一に照射するための導光板とを更に有し、
前記導光板は、前記表示手段が形成する空間の形状に対応する厚さを有することを特徴とする請求項１記載の撮像装置。
【発明の詳細な説明】
【技術分野】
【０００１】
本発明は、一般には、撮像装置に係り、特に、撮像画像を表示する表示手段を有する撮像装置に関する。
【背景技術】
【０００２】
近年のデジタルカメラやビデオカメラなどの普及に伴って、かかる撮像装置には高品位化及び小型化がますます要求されるようになってきている。特に、フィルムへの記録の代わりにＣＣＤ等の撮像素子によって画像を光電変換し、内蔵の固体メモリ又は着脱可能な記録媒体に光電変換した画像データを記録するデジタルカメラは、マルチメディア時代に適した製品として注目されている。
【０００３】
デジタルカメラは、一般的に、撮像レンズ、撮像素子、記録媒体、導光板、カラー液晶パネルを用いたモニタ（表示手段）等の構成要素を有する。なお、表示手段は、撮像した画像を再生して表示させたり、撮像素子によって光電変換された画像をそのまま表示するファインダの機能を有する。
【０００４】
これらの構成要素を効率的に配置し、小型化を実現する撮像装置として、従来から幾つか提案されている（例えば、特許文献１及び２参照。）。例えば、特許文献１には、反射ミラーを傾けて配置することにより全高を抑えた撮像装置を実現する技術が開示されている。また、特許文献２には、導光板の傾きを利用して鏡筒ユニットを光軸方向に近接して配置する技術が開示されている。
【特許文献１】特開平５−２４８８２７号公報
【特許文献２】特許第３５７６９２６号公報
【発明の開示】
【発明が解決しようとする課題】
【０００５】
しかしながら、従来の技術は、近年要求されている高品位化及び小型化を十分に達成することができなくなってきた。特許文献１では、反射ミラーの周辺の部材を傾けて配置することで全高を抑えている。従って、撮像装置を構成する全ての部材を傾けて配置しなければならないため、製造上の誤差が含まれやすく、量産性に欠けると共に、高品位化を妨げる原因ともなる。
【０００６】
また、特許文献２では、導光板の傾きを利用して鏡筒ユニットを撮像光軸方向に圧縮して配置している。従って、デザイン的な自由度が少なく、導光板の傾きを変更することによって、構成要素の配置変更の規模が大きくなってしまう。
【０００７】
そこで、本発明では、高品位化及び小型化を実現すると共に、デザイン的な自由度に優れた撮像装置を提供することを例示的目的とする。
【課題を解決するための手段】
【０００８】
上記目的を達成するために、本発明の一側面としての撮像装置は、撮像光学系が形成する被写体像を光電変換する撮像素子を備える撮像装置であって、前記撮像光学系の光軸に直交する面に対して傾けて配置され、前記撮像素子からの信号を撮像画像として表示する表示手段と、前記表示手段が形成する空間に配置され、前記撮像装置を構成する構成部品とを有することを特徴とする。
【０００９】
本発明の他の目的又はその他の特徴は、以下、添付図面を参照して説明される好ましい実施例によって明らかにされるであろう。
【発明の効果】
【００１０】
本発明によれば、高品位化及び小型化を実現すると共に、デザイン的な自由度に優れた撮像装置を提供することができる。
【発明を実施するための最良の形態】
【００１１】
以下、添付図面を参照して、本発明の一側面としての撮像装置について説明する。なお、各図において、同一の部材については同一の参照番号を付し、重複する説明は省略する。図１は、本発明の撮像装置１００の構成を示す上面断面図である。撮像装置１００は、被写体からの光を、撮像レンズを介して撮像素子に結像し、被写体を撮像する撮像装置であり、本実施形態では、デジタルカメラとして具現化される。
【００１２】
図１を参照するに、１０１は、撮像装置１００の種々の情報及び後述する撮像手段１１２からの電気信号を撮像画像として表示する表示手段である。表示手段１０１は、本実施形態では、ＬＣＤで具現化される。表示手段１０１は、図示しない保持手段によって保持され、かかる保持手段は、図示しないビスによって撮像装置１００に固着されている。
【００１３】
１０２は、撮像装置１００の骨格を形成し、後述する電機部品及び機械部品が固着される主枠体（本体）である。１０３は、撮像装置１００の背面側の外観を形成する後カバーである。１０４は、撮像装置１００の前面側の外観を形成する前カバーである。後カバー１０３及び前カバー１０４は、図示しないビスによって、本体１０２に固着される。
【００１４】
１０５は、撮像装置１００の電源となる電池である。１０６は、接続部１０６ａを介して、電気的に電池１０５と接続すると共に、図示しない配線基板によって後述するメイン基板と電気的に接続する電池切片である。１０７は、電池１０５を装填するために開閉可能な外観を形成する電池蓋である。１０８は、電池蓋１０７を保持するための電池蓋ホルダである。
【００１５】
電池蓋１０７及び電池蓋ホルダ１０８は、電池蓋ユニットＥＰＵを構成する。１０９は、電池ユニットＥＰＵを撮像装置１００に対して回転自在に保持するヒンジ軸である。
【００１６】
１１０は、被写体からの光を後述する撮像手段１１２へ導光し、結像させる撮像レンズ群である。１１１は、撮像レンズ群１１０を保持する鏡筒であり、ズーミング及び焦点調整を行う。１１２は、撮像レンズ群１１０からの光を電気信号に変換する撮像手段である。撮像手段１１２は、例えば、ＣＣＤやＣＭＯＳなどで具現化される。撮像手段１１２は、鏡筒１１１に固着されている。１１３は、撮像手段１１２と電気的に接続されたフレキシブル配線基板であり、鏡筒フレキと呼ばれる。鏡筒フレキ１１３は、撮像手段１１２の近傍に電気素子１１３ａを搭載している。
【００１７】
撮像レンズ群１１０、鏡筒１１１、撮像手段１１２及び鏡筒フレキ１１３は、鏡筒ユニットＬＶＵを構成する。
【００１８】
１１４は、撮像装置１００の中央処理装置であるＣＰＵ１１４ａを搭載するメイン基板であり、コネクタ１１４ｂを介して鏡筒フレキ１１３と電気的に接続される。１１５は、鏡筒ユニットＬＶＵと本体１０２とを固着させるビスである。図１では、１つのビス１１５を用いて鏡筒ユニットＬＶＵと本体１０２とを締結しているが、複数のビスを用いてもよい。
【００１９】
撮像装置１００において、表示手段１１２は、撮像光学系（撮像レンズ群１１０）の撮像光軸ＩＯＡに直交する面に対して傾けて配置される。換言すれば、表示手段１１２は、撮像光軸ＩＯＡと直交し、且つ、撮像装置１００の鉛直方向（紙面垂直方向）に水平な軸を中心に回転させ、撮像光軸ＩＯＡに対して一定の傾きとなるように配置される。これにより、撮像手段１１２と表示手段１１２との間に空間ＳＰが形成される。従って、空間ＳＰに電池切片１０６、電気素子１１３ａ、ビス１１５などの撮像装置１００を構成する構成部品を配置することよって、かかる構成部品を配置するための無駄な空間を存在させることなく、撮像光軸ＩＯＡから見て左右方向の大きさを抑えることができる。また、表示手段１１２の傾きに対応した撮像装置１００のデザインを施すことにより、流線型の美しい撮像装置１００を実現することができる。なお、ビス１１５の一部（頭）を空間ＳＰに突出させることで、ビス１１５の頭の厚み分だけ撮像装置１００の撮像光軸ＩＯＡ方向の厚みを短縮することができる。
【００２０】
また、空間ＳＰにおいて、鏡筒ユニットＬＶＵ及び／又は撮像手段１１２と本体１０２との相対位置関係を調整することも可能である。これにより、かかる相対位置関係を調整するために従来必要とした空間を削除することができ、撮像装置１００の小型化に寄与する。なお、鏡筒フレキ１１３を空間ＳＰに配置する（鏡筒フレキ１１３に搭載された電気素子１１３ａを空間ＳＰに突出させる）ことで、鏡筒フレキ１１３の変形等による撮像手段１１２の位置ずれを防止することが可能となり、かかる位置ずれを補正するために従来必要とした空間を削除することができ、撮像装置１００の小型化に寄与する。
【００２１】
以下、図２を参照して、撮像装置１００の変形例である撮像装置１００Ａを説明する。図２は、本発明の撮像装置１００Ａの構成を示す上面断面図である。撮像装置１００は、撮像装置１００Ａと同様な機能及び構成を有する。撮像装置１００Ａは、撮像装置１００と比較して、表示手段１０１のバックライト機能が付加されている。
【００２２】
図２を参照するに、１２０は、表示手段１０１であるＬＥＤを投光するための発光手段である。発光手段１２０は、例えば、ＬＥＤで具現化される。１２１は、発光手段１２０からの照射光を、表示手段１０１に均一に照射するための導光板である。導光板１２１は、発光手段１２０と対向する方向に沿って厚みが薄くなり、本実施形態では、表示手段１０１の傾きに略一致するようになっている。換言すれば、導光板１２１は、表示手段１０１が形成する空間ＳＰの形状に対応する厚さを有する。
【００２３】
発光手段１２０及び導光板１２１は、表示手段１０１と同様に、図示しない保持手段に固定されている。発光手段１２０は、図示しないフレキシブル配線基板によって、メイン基板１１４と電気的に接続されている。
【００２４】
撮像装置１００Ａにおいて、表示手段１１２が形成する空間ＳＰに、導光板１２１を配置し、更に、導光板１２１の厚さを空間ＳＰの形状に対応させることで、導光板１２１を傾けることなく、また、導光板１２１を傾けて配置するために必要とした無駄な空間を削除することが可能となり、撮像装置１００の小型化及びより効率のよい照明を実現することができる。また、導光板１２１の傾きを変更する場合でも、表示手段１１２の傾きを調整すればよく、設計途中での変更が簡単であるという利点もある。
【００２５】
以上、本発明の好ましい実施例について説明したが、本発明はこれらの実施例に限定されないことはいうまでもなく、その要旨の範囲内で種々の変形及び変更が可能である。例えば、本発明は、デジタルカメラを例に説明したが、デジタルビデオカメラやその他の光学機器に適用することも可能である。
【図面の簡単な説明】
【００２６】
【図１】本発明の一側面としての撮像装置の構成を示す上面断面図である。
【図２】本発明の一側面としての撮像装置の構成を示す上面断面図である。
【符号の説明】
【００２７】
１００                撮像装置
１０１                表示手段
１０２                主枠体（本体）
１０５                電池
１０６                電池切片
１１０                撮像レンズ群
１１２                撮像手段
１１３                鏡筒フレキ
１１３ａ              電気素子
１１４                メイン基板
１１５                ビス
１００Ａ              撮像装置
１２０                発光手段
１２１                導光板
ＳＰ                  空間
ＩＯＡ                撮像光軸
【図１】
2006295352.tif 000003
【図２】
2006295352.tif 000004